(57)【要約】【課題】メールアドレス等の直接的なメッセージの宛先を知らなくても、個人間のゆるやかで安全なメッセージ交換を実現する。【解決手段】装置利用者を特定するＩＤを取得する手段と、物品を払い出す手段と、払い出される物品に付随する記録媒体に含まれる、物品の受け取り人のサーバアクセス用コードの内容を取得する手段と、上記装置利用者を特定するＩＤと上記受け取り人のサーバアクセス用コードを対応付けてサーバに登録する手段とを、備える。【選択図】図１
2008186278.tif 000002
【特許請求の範囲】
【請求項１】
装置利用者を特定するＩＤを取得する手段と、
物品を払い出す手段と、
払い出される物品に付随する記録媒体に含まれる、物品の受け取り人のサーバアクセス用コードの内容を取得する手段と、
上記装置利用者を特定するＩＤと上記受け取り人のサーバアクセス用コードを対応付けてサーバに登録する手段とを、
備えたことを特徴とする物品払い出し装置。
【請求項２】
請求項１に記載の物品払い出し装置において、
上記サーバアクセス用コードは、印刷による１次元もしくは２次元のコードにより形成されることを特徴とする物品払い出し装置。
【請求項３】
請求項１に記載の物品払い出し装置において、
上記サーバアクセス用コードは、不可視の印刷により形成されることを特徴とする物品払い出し装置。
【請求項４】
請求項１に記載の物品払い出し装置において、
上記サーバアクセス用コードは、非接触にて読み取りが可能な無線タグにより形成されることを特徴とする物品払い出し装置。
【請求項５】
請求項１に記載の物品払い出し装置において、
上記サーバアクセス用コードは、コードの内容を示す目視可能な文字列の併記を伴うことを特徴とする物品払い出し装置。
【請求項６】
請求項１に記載の物品払い出し装置において、
上記サーバアクセス用コードは、物品の一部として形成されることを特徴とする物品払い出し装置。
【請求項７】
物品払い出し装置の利用者から、物品に付随する記録媒体に含まれる物品の受け取り人のサーバアクセス用コードと対応付けられた、上記利用者を特定するＩＤを介してアクセスを受け付け、メッセージの書き込みもしくは読み出しを行う手段と、
物品の受け取り人から、当該受け取り人の管理下にある記録媒体に含まれる受け取り人のサーバアクセス用コードを介してアクセスを受け付け、メッセージの書き込みもしくは読み出しを行う手段とを、
備えたことを特徴とするメッセージ交換用サーバ。
【請求項８】
請求項７に記載のメッセージ交換用サーバにおいて、
上記メッセージの書き込みもしくは読み出しを行う手段は、物品払い出し装置の利用者と対応する受け取り人に共通のメッセージボードに対してメッセージの書き込みもしくは読み出しを行うことを特徴とするメッセージ交換用サーバ。
【請求項９】
請求項７に記載のメッセージ交換用サーバにおいて、
上記記録媒体のデザインに対応し、メッセージ閲覧時のデザインを統一して表示する手段を備えたことを特徴とするメッセージ交換用サーバ。
【請求項１０】
請求項７に記載のメッセージ交換用サーバにおいて、
上記物品払い出し装置の利用者の管理下にある複数の記録媒体に含まれる複数のサーバアクセス用コードを統合管理する手段を備えたことを特徴とするメッセージ交換用サーバ。
【請求項１１】
メッセージを交換するためのサーバの制御プログラムであって、
コンピュータを、
物品払い出し装置の利用者から、物品に付随する記録媒体に含まれる物品の受け取り人のサーバアクセス用コードと対応付けられた、上記利用者を特定するＩＤを介してアクセスを受け付け、メッセージの書き込みもしくは読み出しを行う手段、
物品の受け取り人から、当該受け取り人の管理下にある記録媒体に含まれる受け取り人のサーバアクセス用コードを介してアクセスを受け付け、メッセージの書き込みもしくは読み出しを行う手段、
として機能させることを特徴とするメッセージ交換用サーバプログラム。
【請求項１２】
物品払い出し装置の利用者から、物品に付随する記録媒体に含まれる物品の受け取り人のサーバアクセス用コードと対応付けられた、上記利用者を特定するＩＤを介してアクセスを受け付け、メッセージの書き込みもしくは読み出しを行う工程と、
物品の受け取り人から、当該受け取り人の管理下にある記録媒体に含まれる受け取り人のサーバアクセス用コードを介してアクセスを受け付け、メッセージの書き込みもしくは読み出しを行う工程とを、
備えたことを特徴とするメッセージ交換方法。
【発明の詳細な説明】
【技術分野】
【０００１】
本発明は、物品払い出し装置、メッセージ交換用サーバ、メッセージ交換用サーバプログラムおよびメッセージ交換方法に関する。
【背景技術】
【０００２】
個人間のメッセージ交換手段として携帯電話やＰＣ（Personal Computer）等を用いた電子メールが広く用いられている。
【０００３】
一方、特許文献１には、商品に付したＲＦＩＤ（Radio Frequency Identification）タグを移動機により読み取り、読み取った商品ＩＤをトレーサビリティシステムに送信することで、その商品に関する情報を取得するとともに、その商品についての感想等の消費者メッセージをトレーサビリティシステムに送信することができるようにした技術が開示されている。
【０００４】
また、特許文献２には、購入者が身に付けた物品に設けられたＩＤタグから携帯端末によりタグ情報を読み取り、ＩＤデータベースおよびメーカーデータベースに要求を行うことで、その物品に関する商品情報を取得することができるようにした技術が開示されている。
【０００５】
また、特許文献３には、名刺等の印刷物にＵＲＬ（Uniform Resource Locator）の入ったＱＲコード（２次元コード）を印刷しておき、名刺等を受け取った相手がＱＲコードからサーバにアクセスすることで、配布者が登録（名刺等とは別の説明書に印刷された管理用ＱＲコードからサーバにアクセスして登録）した情報を閲覧することができるようにした技術が開示されている。
【特許文献１】特開２００６−１２０８６号公報
【特許文献２】特開２００３−１５７４７７号公報
【特許文献３】特開２００６−８５６５８号公報
【発明の開示】
【発明が解決しようとする課題】
【０００６】
上述したように、個人間のメッセージ交換手段として電子メールが広く用いられているが、電子メールを送信するには相手のメールアドレスを知らなければならず、メールアドレスを知らない相手にはメッセージを送ることができないという問題があった。
【０００７】
一方、特許文献１は、商品を提供するメーカーと消費者の間でのメッセージ交換といえるものであるが、個人間のメッセージ交換手段として利用できるものではない。
【０００８】
また、特許文献２は、ＩＤタグを介して、メーカーから潜在的消費者への一方的な情報の伝達が行えるのみであり、個人間のメッセージ交換手段として利用できるものではない。
【０００９】
また、特許文献３は、名刺等の印刷物を介して、配布者から被配布者への一方的な情報の伝達が行えるのみであり、双方によるメッセージ交換手段として利用できるものではない。
【００１０】
本発明は上記の従来の問題点に鑑み提案されたものであり、その目的とするところは、メールアドレス等の直接的なメッセージの宛先を知らなくても、個人間のゆるやかで安全なメッセージ交換を実現することのできる物品払い出し装置、メッセージ交換用サーバ、メッセージ交換用サーバプログラムおよびメッセージ交換方法を提供することにある。
【課題を解決するための手段】
【００１１】
上記の課題を解決するため、本発明にあっては、請求項１に記載されるように、装置利用者を特定するＩＤを取得する手段と、物品を払い出す手段と、払い出される物品に付随する記録媒体に含まれる、物品の受け取り人のサーバアクセス用コードの内容を取得する手段と、上記装置利用者を特定するＩＤと上記受け取り人のサーバアクセス用コードを対応付けてサーバに登録する手段とを、備える物品払い出し装置を要旨としている。
【００１２】
また、請求項２に記載されるように、請求項１に記載の物品払い出し装置において、上記サーバアクセス用コードは、印刷による１次元もしくは２次元のコードにより形成されるものとすることができる。
【００１３】
また、請求項３に記載されるように、請求項１に記載の物品払い出し装置において、上記サーバアクセス用コードは、不可視の印刷により形成されるものとすることができる。
【００１４】
また、請求項４に記載されるように、請求項１に記載の物品払い出し装置において、上記サーバアクセス用コードは、非接触にて読み取りが可能な無線タグにより形成されるものとすることができる。
【００１５】
また、請求項５に記載されるように、請求項１に記載の物品払い出し装置において、上記サーバアクセス用コードは、コードの内容を示す目視可能な文字列の併記を伴うものとすることができる。
【００１６】
また、請求項６に記載されるように、請求項１に記載の物品払い出し装置において、上記サーバアクセス用コードは、物品の一部として形成されるものとすることができる。
【００１７】
また、請求項７に記載されるように、物品払い出し装置の利用者から、物品に付随する記録媒体に含まれる物品の受け取り人のサーバアクセス用コードと対応付けられた、上記利用者を特定するＩＤを介してアクセスを受け付け、メッセージの書き込みもしくは読み出しを行う手段と、物品の受け取り人から、当該受け取り人の管理下にある記録媒体に含まれる受け取り人のサーバアクセス用コードを介してアクセスを受け付け、メッセージの書き込みもしくは読み出しを行う手段とを、備えるメッセージ交換用サーバとして構成することができる。
【００１８】
また、請求項８に記載されるように、請求項７に記載のメッセージ交換用サーバにおいて、上記メッセージの書き込みもしくは読み出しを行う手段は、物品払い出し装置の利用者と対応する受け取り人に共通のメッセージボードに対してメッセージの書き込みもしくは読み出しを行うようにすることができる。
【００１９】
また、請求項９に記載されるように、請求項７に記載のメッセージ交換用サーバにおいて、上記記録媒体のデザインに対応し、メッセージ閲覧時のデザインを統一して表示する手段を備えるようにすることができる。
【００２０】
また、請求項１０に記載されるように、請求項７に記載のメッセージ交換用サーバにおいて、上記物品払い出し装置の利用者の管理下にある複数の記録媒体に含まれる複数のサーバアクセス用コードを統合管理する手段を備えるようにすることができる。
【００２１】
また、請求項１１に記載されるように、メッセージを交換するためのサーバの制御プログラムであって、コンピュータを、物品払い出し装置の利用者から、物品に付随する記録媒体に含まれる物品の受け取り人のサーバアクセス用コードと対応付けられた、上記利用者を特定するＩＤを介してアクセスを受け付け、メッセージの書き込みもしくは読み出しを行う手段、物品の受け取り人から、当該受け取り人の管理下にある記録媒体に含まれる受け取り人のサーバアクセス用コードを介してアクセスを受け付け、メッセージの書き込みもしくは読み出しを行う手段、として機能させるメッセージ交換用サーバプログラムとして構成することができる。
【００２２】
また、請求項１２に記載されるように、物品払い出し装置の利用者から、物品に付随する記録媒体に含まれる物品の受け取り人のサーバアクセス用コードと対応付けられた、上記利用者を特定するＩＤを介してアクセスを受け付け、メッセージの書き込みもしくは読み出しを行う工程と、物品の受け取り人から、当該受け取り人の管理下にある記録媒体に含まれる受け取り人のサーバアクセス用コードを介してアクセスを受け付け、メッセージの書き込みもしくは読み出しを行う工程とを、備えるメッセージ交換方法として構成することができる。
【発明の効果】
【００２３】
本発明の物品払い出し装置、メッセージ交換用サーバ、メッセージ交換用サーバプログラムおよびメッセージ交換方法にあっては、メールアドレス等の直接的なメッセージの宛先を知らなくても、個人間のゆるやかで安全なメッセージ交換を実現することができる。
【発明を実施するための最良の形態】
【００２４】
以下、本発明の好適な実施形態につき説明する。
【００２５】
＜第１の実施形態＞
図１は本発明の第１の実施形態にかかるシステムの構成例を示す図である。
【００２６】
図１において、メッセージボードによるメッセージ交換の機能を提供するメッセージボードサーバ１はインターネット等のネットワーク２に接続され、贈り側のユーザＡが所持する携帯電話３Ａおよび受け取り側のユーザＢが所持する携帯電話３Ｂからのネットワーク２を介したアクセスが可能になっている。
【００２７】
また、景品取得ゲーム装置等の物品払い出し装置８がネットワーク２と接続されており、物品払い出し装置８はゲーム開始時に決済のためのゲームカード、電子マネーカード、電子マネー携帯電話等のユーザ特定媒体１０からユーザを特定するカード／電子マネーユニークＩＤを読み取り、景品取得の成功により物品６が物品払い出し装置８から排出される際に、物品６に設けられたタグ４Ｔ（「ユビキメ」はユビキタスメッセージの略）から無線タグによる受け取り側サーバアクセス用コード５Ｂを読み取り、カード／電子マネーユニークＩＤと受け取り側サーバアクセス用コード５Ｂに含まれるユニークコード（ユニークコードは数字、文字等に限定されない符号列であり、後述するユニークナンバはその一例として数字列を用いたものである。）とを対応付けてメッセージボードサーバ１に送信するようになっている。物品払い出し装置８のネットワーク２との接続手段は、光ケーブルやＡＤＳＬ（Asymmetric Digital Subscriber Line）、ＩＳＤＮ（Integrated Services Digital Network）、公衆電話回線、電力線などの有線の通信線でもよいし、携帯電話、ＰＨＳ（Personal Handyphone System）、無線ＬＡＮ（Local Area Network）等の無線の通信線でも構わない。
【００２８】
そして、贈り側のユーザＡは携帯電話３Ａ等からカード／電子マネーユニークＩＤを特定してメッセージボードサーバ１にアクセスし、受け取り側のユーザＢは物品６の受け取り側サーバアクセス用コード５Ｂを携帯電話３Ｂにより読み取る等によりメッセージボードサーバ１にアクセスするようになっている。贈り側のユーザＡの携帯電話３Ａ等からカード／電子マネーユニークＩＤによりアクセスできるメッセージボードと、受け取り側のユーザＢの携帯電話３Ｂ等から受け取り側サーバアクセス用コード５Ｂでアクセスできるメッセージボードは同一（共通）であるが、アクセス手順が異なる（アクセスの際に用いるＩＤが異なる）ため、贈り側からのアクセスなのか、受け取り側からのアクセスなのか自動識別が可能である。
【００２９】
なお、タグ４Ｔとしては、内部に封入された無線タグと表面に印刷されたＱＲコードにより受け取り側サーバアクセス用コード５Ｂを形成する場合（ａ）と、無線タグのみにより受け取り側サーバアクセス用コード５Ｂを形成する場合（受け取り側の携帯電話３Ｂで無線タグ読み取り機能を保持している場合）（ｂ）と、無線タグとＱＲコードにより受け取り側サーバアクセス用コード５Ｂを形成するとともにＵＲＬ等を併記（ブラウザのアドレス入力欄に手入力で設定することで、ＰＣやゲーム機等の情報端末からでもアクセスが可能）する場合（ｃ）とがある。また、（ａ）においては、無線タグに含まれるユニークコードと、ＱＲコードに含まれるユニークコードは同一でも、同一ではないが対応付けられていても構わない。
【００３０】
なお、受け取り側サーバアクセス用コード５Ｂとしては、ＱＲコード（現在普及しているカメラ付きの携帯電話でそのまま読み取ることができる。）に代えて、他の２次元コード（ＰＤＦ４１７、ＤａｔａＭａｔｒｉｘ、Ｍａｘｉ  Ｃｏｄｅ等）やＧｒｉｄ  Ｏｎｐｕｔ（グリッドスキャナー専用に開発されたドットパターン）や円形バーコードや１次元バーコード（含ませられる情報量は減るが、安価なバーコードリーダで読み取ることができるとともに、現在普及しているカメラ付きの携帯電話でもそのまま読み取ることができる。）等を用いることもできる。また、赤外光／紫外光等に反応する不可視インクにより形成することでタグ４Ｔのデザインの自由度が上がり美観を高めることができる。印刷ではなく、磁気的にコードを記録するようにすることもできる。光記録媒体に光学的に（相変化、溶融混合等で）コードを記録することもできる。
【００３１】
受け取り側サーバアクセス用コード５Ｂに記録するデータとしては、例えば、
贈り側サーバアクセス用コード５Ａ：サーバＵＲＬ＋ユニークナンバ
例：ubiquime.com?12345
といったものとする。ユニークナンバの偽造により正当なユニークコードを持っていないにもかかわらずメッセージボードサーバ１にアクセスするのを防ぐため、ハッシュ等のチェック用のコードを更に付加してもよい。
【００３２】
図２は物品払い出し装置（景品取得ゲーム装置）８の構成例を示す図である。
【００３３】
図２において、物品払い出し装置８は、ネットワーク２を介した通信を行う通信部８２１と、物品払い出し装置８を制御する制御部８２２と、読み取った無線タグコード８２６およびカード／電子マネーユニークＩＤ８２７等を保持する記憶部８２５（制御部８２２に実行させるプログラムや、そのデータ等を記憶してもよい）と、ＩＣカード（ゲームカード）の読み取り／書き込みを行うＩＣカードリーダ／ライタ８２８と、電子マネー媒体（電子マネーカード、電子マネー携帯電話）の読み取り／書き込みを行う電子マネーリーダ／ライタ８２９と、ユーザの操作を受け付ける操作入力部８３０と、遊戯フィールド８３４のクレーン８３５を制御するクレーン駆動部８３３と、物品取り出し口８３６に配置された無線タグリーダ８３７とを備えている。なお、遊戯フィールド８３４には無線タグによる受け取り側サーバアクセス用コード５Ｂを伴った物品６が配置されている。制御部８２２はＣＰＵでも専用のハードウェアであってもよく、制御部８２２内の各部もハードウェアによって実現されても、ＣＰＵとプログラムによって実現されてもよい。
【００３４】
図３はメッセージボードサーバ１の構成例を示す図である。
【００３５】
図３において、メッセージボードサーバ１は、ネットワーク２を介した通信を行う通信部１１０と、メッセージボードの動作を制御する制御部１２０と、処理に必要なプログラムおよびデータを保持する記憶部１３０とを備えている。制御部１２０はＣＰＵでも専用のハードウェアであってもよく、後述する制御部１２０内の各部もハードウェアによって実現されても、ＣＰＵとプログラムによって実現されてもよい。
【００３６】
制御部１２０は、ユーザ情報を管理（贈り側のユーザＡが携帯電話３Ａ等により登録および設定変更）するユーザ管理部１２１と、メッセージボードサーバ１へのアクセスＵＲＬ（サーバＵＲＬ）に付加される付加データを解析する付加データ解析部１２２と、贈り側のメッセージボードを制御する贈り側ボード制御部１２３と、受け取り側のメッセージボードを制御する受け取り側ボード制御部１２４と、メッセージボードの閲覧があった時や返信があった時に指定されたメールアドレスにメールを送信するメール送信部１２５とを備えている。
【００３７】
記憶部１３０は、メッセージボードサーバ１の制御プログラムであるサーバプログラム１３１と、メッセージボードの内容を管理するボードデータベース１３２と、ユーザ情報を保持するユーザ管理データベース１３４とが保持されている。
【００３８】
図４は付加データ解析部１２２、贈り側ボード制御部１２３および受け取り側ボード制御部１２４の構成例を示す図である。
【００３９】
図４において、付加データ解析部１２２は、アクセスＵＲＬの付加データからメッセージボードを特定するユニークコードの正当性をチェックするコードチェック部１２２１と、付加データからユニークコードを取得するユニークコード取得部１２２２と、初回アクセスのユニークコードをボードデータベース１３２に登録するユニークコード登録部１２２３とを備えている。
【００４０】
贈り側ボード制御部１２３は、ユーザからのアクセス時にボードデータベース１３２に従い動的にメッセージボードを生成（メッセージを全件表示してもよいし、最新メッセージや未読メッセージのみを表示してもよい）するボード生成部１２３１と、メッセージボードへのメッセージ（テキスト、静止画像、動画、音声、添付ファイル、手書き文字、手書きの絵等）の入力を行わせるボード入力部１２３２と、ボード入力部１２３２の入力内容に応じてメッセージボードの内容を更新するボード更新部１２３８とを備えている。
【００４１】
ボード入力部１２３２は、オプションとしてメッセージボードのデザインを選択させるデザイン選択入力部１２３３と、メッセージ本文の入力を行わせるメッセージ入力部１２３４と、相手方が閲覧したことをメールで通知（閲覧通知）する機能のＯＮ／ＯＦＦを選択させる閲覧通知ＯＮ／ＯＦＦ入力部１２３６と、相手方が返信したことをメールで通知（返信通知）する機能のＯＮ／ＯＦＦを選択させる返信通知ＯＮ／ＯＦＦ入力部１２３７とを備えている。
【００４２】
受け取り側ボード制御部１２４は、ユーザからのアクセス時にボードデータベース１３２に従い動的にメッセージボードを生成（メッセージを全件表示してもよいし、最新メッセージや未読メッセージのみを表示してもよい）するボード生成部１２４１と、メッセージボードへのメッセージ（テキスト、静止画像、動画、音声等）の入力を行わせるボード入力部１２４２と、ボード入力部１２４２の入力内容に応じてメッセージボードの内容を更新するボード更新部１２４８とを備えている。
【００４３】
ボード入力部１２４２は、オプションとしてメッセージボードのデザインを選択させるデザイン選択入力部１２４３と、メッセージ本文の入力を行わせるメッセージ入力部１２４４と、オプションとして閲覧通知・返信通知が必要な場合にメールアドレスの入力を行わせるメールアドレス入力部１２４５と、メールアドレスを入力した場合のオプションとして相手方が閲覧したことをメールで通知（閲覧通知）する機能のＯＮ／ＯＦＦを選択させる閲覧通知ＯＮ／ＯＦＦ入力部１２４６と、メールアドレスを入力した場合のオプションとして相手方が返信したことをメールで通知（返信通知）する機能のＯＮ／ＯＦＦを選択させる返信通知ＯＮ／ＯＦＦ入力部１２４７とを備えている。
【００４４】
図５はボードデータベース１３２等の例を示す図である。
【００４５】
図５（ａ）は受け取り側のユニークコード、チェックコードの対応関係が所定の関係式で定められている場合であり、メッセージボードを特定するユニークコード（ユニークナンバ等）毎に、メッセージを特定するメッセージナンバ（メッセージの連番）、入力時刻（メッセージを入力した時刻）、贈り側／受け取り側フラグ（どちら側からのメッセージかの識別情報）、メッセージ本文と、贈り側のデザインＩＤ、閲覧通知フラグ、返信通知フラグと、受け取り側のデザインＩＤ、メールアドレス、閲覧通知フラグ、返信通知フラグとが管理されている。
【００４６】
図５（ｂ）はユーザ管理データベース１３４の例であり、初回登録時に贈り側のユーザＡが自由に定めるユーザＩＤと、物品払い出し装置８の利用（プレイ）時に取得されたカード／電子マネーユニークＩＤと、物品払い出し装置８の利用時に物品６に付加されたタグ４Ｔの受け取り側サーバアクセス用コード５Ｂに含まれるユニークコード（利用した分だけの数）とが対応付けて管理されている。
【００４７】
図５（ｃ）は受け取り側のユニークコードが予めテーブルで定められている場合であり、（ａ）のユニークコードに代えてシリアルナンバ（テーブルのインデックスとなる連続番号）を用い、シリアルナンバとユニークコードとの対応をユニークコードテーブル１３６で管理している。全てのユニークコードは重複がないように設定してあり、連番ではないので、偽造・改竄は困難である。
【００４８】
図６は携帯電話３Ａ、３Ｂの構成例を示す図である。
【００４９】
図６において、携帯電話３Ａ、３Ｂは、通信を行うための通信Ｉ／Ｆ（Interface）３０１、通信部３０２と、音声処理を行うためのスピーカ３０３、マイク３０４、音声処理部３０５と、画像撮影を行うためのカメラ３０６、カメラ制御部３０７と、表示を行うための表示部３０８と、操作入力を行うための操作入力部３０９と、無線タグの読み取りを行うための無線タグリーダ３１０、無線タグリーダ制御部３１１と、携帯電話の制御処理を行うための制御部３１２と、処理に必要なプログラムおよびデータを保持する記憶部３１６とを備えている。
【００５０】
制御部３１２は、読み取ったＱＲコード画像等を解析するＱＲコード等解析部３１３と、サーバアクセスに用いるブラウザを制御するブラウザ制御部３１４と、メールクライアントを制御するメールクライアント制御部３１５とを備えている。
【００５１】
記憶部３１６は、ブラウザのプログラムであるブラウザプログラム３１７と、メールクライアントのプログラムであるメールクライアントプログラム３１８と、読み取ったＱＲコード等３１９が保持されている。
【００５２】
図７は第１の実施形態の処理例を示すフローチャートである。
【００５３】
図７において、贈り側のユーザＡは、ゲームのプレイ前に予めゲームカード、電子マネーカード、電子マネー携帯電話等のいずれかを用意し、物品払い出し装置（景品取得ゲーム装置）８の管理組織が運営するメッセージボードサーバ１に、ユーザ登録としてゲームカード等のカード／電子マネーユニークＩＤとユーザＩＤとの対応関係およびメールアドレス等を登録しておく（ステップＳ１０１）。なお、ゲーム後においてもユーザ登録は可能である。ユーザ登録は、携帯電話３Ａを使っても良いし、ＰＣやゲームセンタに用意された専用ターミナルから行ってもよい。この際、ゲームカード等に予めメッセージボードサーバ１へのＵＲＬを記述したＱＲコードが備えられていれば、アクセスが簡便になる。
【００５４】
また、未発行のコードを排除するため、メッセージボードサーバ１では予め発行済みのカード／電子マネーユニークＩＤを記憶しておき、その中に含まれないもののアクセスを排除することができる。また、物品６のタグ４Ｔに無線タグとＱＲコードが含まれ、両者のユニークコードが異なる場合はその対応関係データを記憶しておく。
【００５５】
次いで、贈り側のユーザＡはゲームカード等を物品６のリーダ／ライタに近接または挿入し、読み取りを行わせる（ステップＳ１０２）。この時、ゲーム利用の決済（ポイントもしくは金額の消費）が行われるとともに、ゲームカード等のカード／電子マネーユニークＩＤが読み取られる。
【００５６】
次いで、贈り側のユーザＡは物品払い出し装置８でゲームを行い、物品（景品）６の取得を試み、見事、物品６の取得に成功すると、物品６は物品取り出し口８３６に排出される（ステップＳ１０３）。物品取り出し口８３６には無線タグリーダ８３７が備え付けられており、排出された物品６に取り付けられたタグ４Ｔに封入された無線タグの情報が読み取られる（ステップＳ１０４）。無線タグの情報には前述したようにユニークコードが含まれている。
【００５７】
そして、物品払い出し装置８は、カード／電子マネーユニークＩＤと無線タグのユニークコードとをネットワーク２を経由してメッセージボードサーバ１に送信する（ステップＳ１０５）。
【００５８】
メッセージボードサーバ１は、カード／電子マネーユニークＩＤと無線タグのユニークコードを受信し（ステップＳ１０６）、カード／電子マネーユニークＩＤと無線タグのユニークコードをボードデータベース１３２に紐付けて記憶する（ステップＳ１０７）。カード／電子マネーユニークＩＤが既にユーザ登録され、ユーザＩＤが発行されている場合は、無線タグのユニークコードとユーザＩＤを紐付けてもよい（実質的に同じ）。
【００５９】
その後、贈り側のユーザＡは、取得した物品６をそのまま受け取り側のユーザＢにプレゼント等により引き渡す（ステップＳ１０８、Ｓ１０９）。待ち構えていた受け取り側のユーザＢが直接に物品６を手にして、そのままプレゼントとして受け取る場合も含まれる。物品６に付されたタグ４Ｔは受け取り側のユーザＢ専用のものとなっているため、タグ４Ｔから贈り側のユーザＡのための部分を千切る等の行為は不要である。
【００６０】
その後、受け取り側のユーザＢにプレゼントを渡して別れた後、なるべく早い時期に、贈り側のユーザＡは携帯電話３Ａ等からメッセージボードサーバ１にアクセスし（ステップＳ１１０）、ユーザ登録を行っていなければ、ここでユーザ登録を行う。
【００６１】
メッセージボードサーバ１はアクセスを受け付けると（ステップＳ１１１）、ユーザＩＤ（カード／電子マネーユニークＩＤ）に紐付けられた無線タグのユニークコードを調べ、紐付けられたユニークコードの一覧を携帯電話３Ａ等に送信し（ステップＳ１１２）、携帯電話３Ａ等に一覧表示させる（ステップＳ１１３）。なお、最新のものを優先的に表示してもよいし、メッセージ未書き込みのものを優先的に表示してもよいし、返信が来たものを優先的に表示してもよいし、それらを選択可能にしてもよい。
【００６２】
見つかった無線タグのユニークコードが１個しかない、あるいはいずれか１個が選択されると（ステップＳ１１４）、「贈り側モード」でメッセージボードを生成し、メッセージボードにまだメッセージが入力されていなければ、メッセージ入力モードとなり、その旨をアクセス元の携帯電話３Ａに送信する（ステップＳ１１５）。
【００６３】
これに応じ、贈り側のユーザＡはメッセージボードにメッセージを入力し（ステップＳ１１６）、メッセージボードサーバ１はメッセージを登録する（ステップＳ１１７）。なお、メッセージの入力に際し、贈り側のユーザＡはメッセージボードのデザインを指定してもよいし、必要であれば、自分のメールアドレスを登録してもよい。
【００６４】
その後、贈り側のユーザＡと別れた後の適当なタイミング（例えば、帰宅後、あるいは物品の内容確認時等）で受け取り側のユーザＢは物品６に付加されたタグ４Ｔの受け取り側サーバアクセス用コード５Ｂを自己の携帯電話３Ｂで読み取り（ＱＲコードを読み取るか、無線タグリーダ／ライタを搭載した携帯電話３Ｂであれば、無線タグを読み取る。）（ステップＳ１１８）、携帯電話３Ｂからメッセージボードサーバ１にアクセスする（ステップＳ１１９）。
【００６５】
メッセージボードサーバ１は携帯電話３Ｂからのアクセスを受け（ステップＳ１２０）、その際、ユニークナンバと、チェック用コードを受け取る。
【００６６】
次いで、メッセージボードサーバ１はチェック用コードをチェックすることで、そのユニークナンバが正当かどうかチェックする（ステップＳ１２１）。不正と判断されれば、エラーメッセージを返し、その後の処理は行わない。
【００６７】
ここでは、チェック用コードが正当と判断されたものとすると、受け取り側サーバアクセス用コード５Ｂによるアクセスであるため「受け取り側モード」となり、メッセージボードに既に贈り側のユーザＡによりメッセージが入力されているため、メッセージ閲覧モードとして、登録されたメッセージをアクセス元の携帯電話３Ｂに送信し（ステップＳ１２２）、携帯電話３Ｂはメッセージを表示する（ステップＳ１２３）。メッセージがまだ記憶されていない場合は表示すべきメッセージは存在しないが、受け取り側のユーザＢが退屈しないよう、定型のメッセージ（例えば、時候に合った挨拶（「明けましておめでとう」「メリークリスマス」「暑中お見舞い申し上げます」）等）を表示するようにしても構わない。
【００６８】
これに応じ、受け取り側のユーザＢは、任意ではあるが、返信欄等からメッセージボードにメッセージを入力し（ステップＳ１２４）、メッセージボードサーバ１はメッセージを登録する（ステップＳ１２５）。なお、メッセージの入力に際し、受け取り側のユーザＢはメッセージボードのデザインを指定してもよいし、必要であれば、自分のメールアドレスを登録してもよい。
【００６９】
また、図示はしていないが、贈り側のユーザＡの指定があれば、受け取り側のユーザＢがメッセージボードを閲覧したことや、メッセージに対して返信したことを教えるメールを贈り側のユーザＡが登録したメールアドレスに送信する。このメールにメッセージそのものを記載して送信してもよく、その場合、贈り側のユーザＡはメッセージボードを閲覧する必要がない。
【００７０】
その後、贈り側のユーザＡは携帯電話３Ａ等からメッセージボードサーバ１にアクセスし（ステップＳ１２６）、メッセージボードサーバ１はアクセスを受け付けると（ステップＳ１２７）、ユーザＩＤ（カード／電子マネーユニークＩＤ）に紐付けられた無線タグのユニークコードを調べ、紐付けられたユニークコードの一覧を携帯電話３Ａ等に送信し（ステップＳ１２８）、携帯電話３Ａ等に一覧表示させる（ステップＳ１２９）。
【００７１】
見つかった無線タグのユニークコードが１個しかない、あるいはいずれか１個が選択されると（ステップＳ１３０）、「贈り側モード」でメッセージボードを生成し、メッセージボードに既に受け取り側のユーザＢにより返信メッセージが入力されているため、メッセージ閲覧モードとして、登録された返信メッセージをアクセス元の携帯電話３Ａに送信し（ステップＳ１３１）、携帯電話３Ａはメッセージを表示する（ステップＳ１３２）。これに対して返信欄等により再度メッセージを入力することもできる。
【００７２】
その後も、同様にメッセージの交換を何度でも繰り返すことができる。相手からのメッセージを知りたくなかったら、メールと違い、メッセージボードにアクセスしなければよいし、受け取り側サーバアクセス用コード５Ｂが記述されたタグ４Ｔを捨ててしまえばアクセスできなくなる。メッセージが残っているのも気分が悪い場合は、メッセージボードを削除（復活不能）できるようにしてもよい。
【００７３】
また、図示はしていないが、受け取り側のユーザＢが自分のメールアドレスを登録している場合は、贈り側のユーザＡがメッセージボードを閲覧したことや、メッセージに対して返信したことを教えるメールを、受け取り側のユーザＢが登録したメールアドレスに送信する。
【００７４】
図８はデザイン統一の例を示す図である。（ａ）に示すようにタグ４Ｔを所定の模様のデザイン付のものとしておき、タグ４Ｔのユニークコードとデザインの対応ルールを決めておくか、対応テーブルをメッセージボードサーバ１で管理しておくことにより、（ｂ）に示すようにタグ４Ｔのデザインに応じたメッセージボードデザインを携帯電話３Ａ、３Ｂに表示することが可能である。タグ４Ｔのデザインと、メッセージボードのデザイン（色、地紋、キャラクター等）を同じにしておけば、そのタグ４Ｔにメッセージを書き込んでいるという演出ができ、タグ４Ｔとネットのつながり感、シームレス感を更に向上させることができる。
【００７５】
なお、タグ４Ｔと物品６の関係を管理できる場合は、製品の種類に応じたメッセージボードを提供することができる。例えば、魚のヌイグルミであれば、自動的に海洋的なデザインのメッセージボードを表示することもできる。
【００７６】
図９はユニークコードの統合管理の例を示す図である。
【００７７】
物品払い出し装置８で取得しプレゼント等した物品６へのメッセージは、タグ４Ｔにより物品一つ一つに紐付けられるが、カード／電子マネーユニークＩＤもしくはユーザＩＤに紐付けられているため、統合管理が可能である。自分のカード／電子マネーユニークＩＤもしくはユーザＩＤを用いてメッセージボードサーバ１にアクセスすると、メッセージボードサーバ１はそのカード／電子マネーユニークＩＤもしくはユーザＩＤと紐付けられた全てのメッセージを選出する。
【００７８】
そして、この選出された全ての贈り側メッセージを図９（ａ）に示すように一覧表示（ユニークコード毎に一つのスレッドを表示し、それが縦に並んでいるイメージ）し、返事も同一ページ内で記入できるようにする。更に、相手がメッセージを閲覧した旨、相手が返答を書いた旨を知らせるメールも１通１通バラバラではなく、定期的に（例えば日毎に）まとめてメール１通で通知した方がユーザの利便性が上がる。
【００７９】
また、受け取り側についても、自分のメールアドレスかユーザＩＤを登録してあれば、同じメールアドレスかユーザＩＤに紐付けられたものであれば、（ｂ）に示すように同様に一覧表示させることが可能であり、選択してメッセージを書き込むこともできる。
【００８０】
＜第２の実施形態＞
図１０は本発明の第２の実施形態にかかるシステムの構成例を示す図であり、物品として占い結果シートを出力する占い装置等の物品払い出し装置８に適用したものである。
【００８１】
図１０において、メッセージボードによるメッセージ交換の機能を提供するメッセージボードサーバ１はインターネット等のネットワーク２に接続され、贈り側のユーザＡが所持する携帯電話３Ａおよび受け取り側のユーザＢが所持する携帯電話３Ｂからのネットワーク２を介したアクセスが可能になっている。
【００８２】
また、占い装置等の物品払い出し装置８がネットワーク２と接続されており、物品払い出し装置８はゲーム開始時に決済のため、あるいは、ゲーム履歴情報の記憶（データセーブ）のためのゲームカード、電子マネーカード、電子マネー携帯電話等のユーザ特定媒体１０からユーザを特定するカード／電子マネーユニークＩＤを読み取り、占いの実行により占い結果シート等の物品６に受け取り側サーバアクセス用コード５Ｂ（（ａ）に示すようにＱＲコードの場合、（ｂ）に示すようにＱＲコードとともに手入力のためのＵＲＬ等を併記した場合）を印刷するとともに、贈り側のユーザＡのカード／電子マネーユニークＩＤと受け取り側サーバアクセス用コード５Ｂに含まれるユニークコードとを対応付けてメッセージボードサーバ１に送信するようになっている。
【００８３】
そして、贈り側のユーザＡは携帯電話３Ａ等からカード／電子マネーユニークＩＤを特定してメッセージボードサーバ１にアクセスし、受け取り側のユーザＢは物品６の受け取り側サーバアクセス用コード５Ｂを携帯電話３Ｂにより読み取る等によりメッセージボードサーバ１にアクセスするようになっている。
【００８４】
図１１は物品払い出し装置（占い装置）８の構成例を示す図である。
【００８５】
図１１において、物品払い出し装置８は、ネットワーク２を介した通信を行う通信部８０１と、占い制御部８０３およびＱＲコード画像生成部８０４を含む制御部８０２と、生成したＱＲコード８０６および読み取ったカード／電子マネーユニークＩＤ８０７等を保持する記憶部８０５（制御部８０２に実行させるプログラムや、そのデータ等を記憶してもよい）と、ＩＣカード（ゲームカード）の読み取り／書き込みを行うＩＣカードリーダ／ライタ８０８と、電子マネー媒体（電子マネーカード、電子マネー携帯電話）の読み取り／書き込みを行う電子マネーリーダ／ライタ８０９と、ユーザの操作を受け付ける操作入力部８１０と、説明音声や効果音を出力する音声出力部８１１と、説明文や装飾画像を出力する表示部８１２と、占い結果シートを印刷する印刷部８１３と、占い結果シートを排出する占い結果シート排出口８１４とを備えている。制御部８０２はＣＰＵでも専用のハードウェアであってもよく、制御部８０２内の各部もハードウェアによって実現されても、ＣＰＵとプログラムによって実現されてもよい。
【００８６】
図１０に戻り、メッセージボードサーバ１および携帯電話３Ａ、３Ｂの構成は図３〜図６に示したものと同様である。
【００８７】
処理手順については、占いの実行により受け取り側サーバアクセス用コード５Ｂが占い結果シート等の物品６に印刷される点と、物品６にタグ（４Ｔ）が存在しないためその読み取りがなされない点が異なるが、その他の動作は図７と同様である。
【００８８】
＜総括＞
以上のように、本発明の実施形態によれば、次のような利点がある。
（１）ユニークなコードをリアルな「モノ」に紐付けることにより、ネットワーク上の情報を共有し、人と人とのコミュニケーションの利便性を上げることができる。
（２）メールアドレスを知らない人にメッセージを贈ることができる。テキストだけでなく、音声でも画像でも、いかなるファイルでも贈ることができる。
（３）相手方にメールアドレスを知らせずに、メッセージを贈ることができる。メッセージを受け取った側も、メールアドレスを知らせずに謝礼（返答）することができる。個人情報保護も十分に確保することができる。
（４）サーバアクセス用コードは全てユニークである。そのため、一対一の秘密のメッセージ交換を行うことができる。情報の秘匿も十分に確保することができる。
（５）電子メールではないので、相手の都合を気にせずに、好きな時にメッセージを贈ることができる。読む方も、自分の都合の良い時に読み、返答することができる。
（６）プレゼントを贈った後に、メッセージを書くことができる。その場で取得した景品取得ゲーム装置の景品にメッセージが付けられる。
（７）サーバアクセス用コードは、一つ一つの「モノ」に貼り付けられる（紐付けられる）ので、「この」プレゼントのメッセージ、「あの」プレゼントのメッセージと、リアルな「モノ」ごとにメッセージを贈ることができる。
【００８９】
また、景品取得ゲーム装置と占い装置の例について説明したが、その他、物品を払い出す装置であれば本発明を適用することが可能である。例えば、自動販売機（飲料、菓子、トレーディングカード、写真撮影機等）に適用することが可能である。
【００９０】
更に、ユーザの特定手法としては、ゲームカード、電子マネーカード、電子マネー携帯電話等の他に、指紋認証、網膜認証、虹彩認証、静脈認証、声紋認証、パスワード認証等の個人特定が行える各種手法を用いることができる。
【００９１】
物品に付ける受け取り側サーバアクセス用コードも、物品の形状に応じたメディアで取り付けることができる。例えば、定型の物品（例えば、定型のカードや、方形の箱や、方形の書籍等）を払い出す装置であれば、物品の特定の位置を読み取ることが容易になるので、わざわざ無線タグを備えなくても、ＱＲコードなどの印刷コードだけで済む。
【００９２】
以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【図面の簡単な説明】
【００９３】
【図１】本発明の第１の実施形態にかかるシステムの構成例を示す図である。
【図２】物品払い出し装置（景品取得ゲーム装置）の構成例を示す図である。
【図３】メッセージボードサーバの構成例を示す図である。
【図４】付加データ解析部、贈り側ボード制御部および受け取り側ボード制御部の構成例を示す図である。
【図５】ボードデータベース等の例を示す図である。
【図６】携帯電話の構成例を示す図である。
【図７】第１の実施形態の処理例を示すフローチャートである。
【図８】デザイン統一の例を示す図である。
【図９】ユニークコードの統合管理の例を示す図である。
【図１０】本発明の第２の実施形態にかかるシステムの構成例を示す図である。
【図１１】物品払い出し装置（占い装置）の構成例を示す図である。
【符号の説明】
【００９４】
１            メッセージボードサーバ
１１０        通信部
１２０        制御部
１２１        ユーザ管理部
１２２        付加データ解析部
１２２１      コードチェック部
１２２２      ユニークコード取得部
１２２３      ユニークコード登録部
１２３        贈り側ボード制御部
１２３１      ボード生成部
１２３２      ボード入力部
１２３３      デザイン選択入力部
１２３４      メッセージ入力部
１２３６      閲覧通知ＯＮ／ＯＦＦ入力部
１２３７      返信通知ＯＮ／ＯＦＦ入力部
１２３８      ボード更新部
１２４        受け取り側ボード制御部
１２４１      ボード生成部
１２４２      ボード入力部
１２４３      デザイン選択入力部
１２４４      メッセージ入力部
１２４５      メールアドレス入力部
１２４６      閲覧通知ＯＮ／ＯＦＦ入力部
１２４７      返信通知ＯＮ／ＯＦＦ入力部
１２４８      ボード更新部
１２５        メール送信部
１３０        記憶部
１３１        サーバプログラム
１３２        ボードデータベース
１３４        ユーザ管理データベース
１３６        ユニークコードテーブル
２            ネットワーク
３Ａ、３Ｂ    携帯電話
３０１        通信Ｉ／Ｆ
３０２        通信部
３０３        スピーカ
３０４        マイク
３０５        音声処理部
３０６        カメラ
３０７        カメラ制御部
３０８        表示部
３０９        操作入力部
３１０        無線タグリーダ
３１１        無線タグリーダ制御部
３１２        制御部
３１３        ＱＲコード等解析部
３１４        ブラウザ制御部
３１５        メールクライアント制御部
３１６        記憶部
３１７        ブラウザプログラム
３１８        メールクライアントプログラム
３１９        ＱＲコード等
５Ｂ          受け取り側サーバアクセス用コード
６            物品
８            物品払い出し装置
８０１        通信部
８０２        制御部
８０３        占い制御部
８０４        ＱＲコード画像生成部
８０５        記憶部
８０６        ＱＲコード
８０７        カード／電子マネーユニークＩＤ
８０８        ＩＣカードリーダ／ライタ
８０９        電子マネーリーダ／ライタ
８１０        操作入力部
８１１        音声出力部
８１２        表示部
８１３        印刷部
８１４        占い結果シート排出口
８２１        通信部
８２２        制御部
８２５        記憶部
８２６        無線タグコード
８２７        カード／電子マネーユニークＩＤ
８２８        ＩＣカードリーダ／ライタ
８２９        電子マネーリーダ／ライタ
８３０        操作入力部
８３３        クレーン駆動部
８３４        遊戯フィールド
８３５        クレーン
８３６        物品取り出し口
８３７        無線タグリーダ
９            贈り側用印刷物
１０          ユーザ特定媒体
Ａ〜Ｂ        ユーザ
【図１】
2008186278.tif 000003
【図２】
2008186278.tif 000004
【図３】
2008186278.tif 000005
【図４】
2008186278.tif 000006
【図５】
2008186278.tif 000007
【図６】
2008186278.tif 000008
【図７】
2008186278.tif 000009
【図８】
2008186278.tif 000010
【図９】
2008186278.tif 000011
【図１０】
2008186278.tif 000012
【図１１】
2008186278.tif 000013